(57)【要約】【課題】傘を使用しない際には、傘地を束ねる留め具として使用できると共に、傘を使用する際には、ファッション性に優れたブレスレットとして使用できる。【解決手段】多数の装飾用玉粒体３を、弾力性のある糸２で環状に綴り込んでなる装飾リング１を、すぼめた傘１０の胴部に開き留めとして着脱自在に装着してなる。又装飾リング１が天然石を主とする玉粒体３で構成され、これを手首に装着できるブレスレットに兼用できるようにした。更にこの傘１０は、装飾リング１の位置ずれを防止する係止部材１２を備えている。【選択図】図１
0003103876.tif 000002
【実用新案登録請求の範囲】
【請求項１】
多数の装飾用玉粒体（３）を、弾力性のある糸（２）で環状に綴り込んでなる装飾リング（１）を、すぼめた傘（１０）の外周に開き留めとして着脱自在に装着してなることを特徴とする傘。
【請求項２】
前記装飾リングが天然石を主とする玉粒体で構成され、これを手首に装着できるブレスレットに兼用できるようにしたことを特徴とする請求項１に記載の傘。
【請求項３】
前記装飾リングの位置ずれを防止する係止部材（１２）を傘の表面に備えたことを特徴とする請求項１又は２に記載の傘。
【考案の詳細な説明】
【技術分野】
【０００１】
本考案は、ファッション性及び実用性を有する装飾リングを備え多目的に活用できる傘に関する。
【背景技術】
【０００２】
周知のとおり雨天時などに用いる傘は、中心に配された傘用軸、この傘用軸に設けられた傘骨、この傘骨に張られた傘地等で構成されている。この傘は、使用時には、傘地を開いて雨等を防ぐが、使用しない時は、傘地をすぼめて携帯する。そして、傘には、携帯中に傘地が開いて邪魔にならないよう、傘をすぼめた状態で固定する留め具が設けられている。
【０００３】
一般的な傘では、この留め具は、傘地に取り付けた帯状部材からなっており、そして一方側が傘地に取り付けられ、他方側にフック等が設けられており、傘地を束ねた状態でこの帯状部材を傘の胴部に巻いてフックで係止し、傘の開きを防止している（例えば、特許文献１参照）。又留め具として、傘をすぼめた状態で収納するケースカバー（例えば、特許文献２参照）や、係止環（例えば、特許文献３参照）などもある。
【０００４】
この係止環は、傘地を束ねた状態の傘に嵌めて用いる。そして、この係止環は、傘を使用する際に紛失しないよう、ポケットや鞄などに収納して保持するか、傘柄付近に設けられたチェーン等に連結されている。そのため、ポケットから出し入れする際に、紛失したり、チェーンでぶら下げられた係止環が、手元で揺れて目障りであったり、又鞄に引っ掛ってチェーンが切れ係止環を失うこともあり非常に不便であった。又傘を使用する際のファッション性や利便性は何も考えられていない。
【特許文献１】実開平２−７９８１８号公報
【特許文献２】実開平１−１２６１０８号公報
【特許文献３】実開平３−１６４１５号公報
【考案の開示】
【考案が解決しようとする課題】
【０００５】
本考案は洋傘などにおいて、傘をすぼめた状態で携行する際は、その胴部に装飾性のあるカラフルな石などをちりばめた宝石状のリングを開き留めとして装着することによって、ファッション性をもたせると共に、傘を開いて使用するときは、前記装飾リングをそのまま手首に嵌めて持ち運びができるようにし、同時にブレスレットとしての機能をもたせるようにしたもので、ファッション性と実用性を兼備した傘を提供するものである。
【課題を解決するための手段】
【０００６】
本考案に係る傘は、環状の弾力性を有する糸に多数の装飾用玉粒体を綴り込んで装飾リングを備えており、このリングを傘の開き留めとして、すぼめた傘の胴部に着脱自在に装着した構成を特徴とする。
【０００７】
又天然石を主とする玉粒体によって装飾リングを構成し、このリングを手首に装着してブレスレットとして兼用できるようにする。そして、好ましくは、この装飾リングを傘に装着する際、脱落防止用の係止部材を備えている。
【考案の効果】
【０００８】
傘を使用しないときの開き留め具に、天然石などをちりばめた装飾性のあるリングを採用したので、携行に際してファッション価値が高くなると共に、傘を使用するときは、この留め具がそのままブレスレットとして利用できるので、紛失する恐れもなく余分な収納部を設けておく必要がないなど、実用効果も大きい。
【０００９】
又この装飾用玉粒体をカラフルな天然石とすることにより、意匠性及び審美性が向上し、商品価値も高くなる。
【考案を実施するための最良の形態】
【００１０】
以下、添付図面に基づいて、本考案に係る傘について詳細に説明する。
【００１１】
図１は、本考案に係る傘を示す正面図である。図２は、装飾リングを、手首に装着した状態を示す斜視図である。図３は、装飾リングを示す図であって、図３Ａは側面図であり、図３Ｂは図３ＡのＩ−Ｉ線拡大断面図である。
【００１２】
図１の如く、傘１０を使用しない際、傘地１１を束ねた状態で、傘１０の胴部に開き留めとして装飾リング１を嵌め込む。そして、傘地１１には、傘１０の軸方向に設けられた帯状の係止部材１２が取り付けられており、一方側は傘地１１に縫着され、他方側にはフック１２０が設けられている。この係止部材１２は、装飾リング１の脱落と位置ずれを防止するものであって、フック１２０を開放した状態で、装飾リング１を、係止部材１２の縫着部付近に配置し、フック１２０を係止することにより位置を固定することができる。
【００１３】
この装飾リング１で傘地１１をすぼめていた傘１０を使用する際、係止部材１２のフック１２０を開放して装飾リング１１を傘１０から抜き取り、傘地１１を開き、図２の如く、この抜き取った装飾リング１を手首１５に装着する。
【００１４】
従って、この装飾リング１は、傘１０を使用しない際には、傘地１１の開きを防止する留め具として機能を有すると共に、傘１０を使用する際には、手首１５を装飾するブレスレットとしての機能をも有する。そのため、従来の係止環のように、チェーンなどによって傘に連結することがないので、傘１０を使用する際に、手元で揺れることがなく、又鞄などに引っ掛かることもない。そして、ブレスレットとして手首１５に装着できるので、ファッション的機能を有すると共に、紛失するということもなく実用性にも優れている。
【００１５】
図３の如く、装飾リング１は、弾力性のある糸２の全周にわたって綴り込まれた多数の装飾用玉粒体３からなる。糸２は、手首よりやや大きく、すぼめた状態の傘の胴部よりやや小さな径で形成された平行に配された２本の細いゴム糸やゴム紐である。糸２の長さを、手首よりやや大きくすることによりブレスレットとして適し、すぼめた傘の胴部よりやや小さくすることにより傘用留め具として適した形状を構成する。そして、糸２は、弾力性を有しているので、伸ばすことにより簡単に手首や傘に着脱することができる。又様々な太さの手首や傘にも着脱可能である。
【００１６】
本例では装飾用玉粒体３は、平板状の天然石３と球状の天然石３’から構成されている。各装飾用玉粒体３には、貫通する挿通孔３０が設けられており、糸２に、この挿通孔３０を通して多数の装飾用玉粒体３を配することにより、糸２の全周にわたって装飾用玉粒体３を設ける。装飾用玉粒体３を天然石とすることにより、意匠性及び審美性を高めることができ、ブレスレットのファッション性のみならず傘のファッション性をも著しく向上させることができる。
【００１７】
糸２は、２本に限らず、３本以上でも１本でも良く、本数が多いほど頑丈に形成することができ、一の糸２が切れたときでも、装飾用玉粒体３がばらばらに散らばって紛失することを防止することもでき、簡単に修繕することもできる。又、装飾用玉粒体３は、天然石でなくとも、カラフルなプラスチックや宝石、ガラスなどをちりばめても良い。
【図面の簡単な説明】
【００１８】
【図１】本考案に係る傘を示す正面図である。
【図２】装飾リングを、手首に装着した状態を示す斜視図である。
【図３】装飾リングを示す図であって、図３Ａは側面図であり、図３Ｂは図３ＡのＩ−Ｉ線拡大断面図である。
【符号の説明】
【００１９】
１  装飾リング
２  糸
３  装飾用玉粒体
１０  傘
１２  係止部材
【図１】
0003103876.tif 000003
【図２】
0003103876.tif 000004
【図３】
0003103876.tif 000005